(57)【要約】【課題】既設の家屋に対しても、比較的容易に耐震構造を組み込むことができるようにする。【解決手段】軸組構法により既に完成した家屋の耐震性を向上させるために壁を補強する耐震構法であって、立設した隣り合う２つの柱４、５と、床面１１よりも上側に設けられた下側水平梁６と、天井１２よりも上側に設けられた上側水平梁７とで構成され、内側が空スペースＣとなった矩形枠１０を得る工程と、前記矩形枠１０の内部であって天井１２よりも下側部分に、下側水平梁６の上に載せるとともに前記２つの柱４、５で挟まれた状態に矩形状の補強壁２０を嵌め込むとともに、補強壁２０を矩形枠１０に固定する工程とを含む。【選択図】図３
2010121398.tif 000002
【特許請求の範囲】
【請求項１】
軸組構法により既に完成した家屋の耐震性を向上させるために壁を補強する耐震構法であって、
立設した隣り合う２つの柱と下側水平梁と上側水平梁とで構成され、内側が空スペースとなった矩形枠を得る工程と、
前記矩形枠の内部に、前記下側水平梁の上に載せるとともに前記２つの柱で挟まれた状態に矩形状の補強壁を嵌め込むとともに、前記補強壁を前記矩形枠に固定する工程とを含むことを特徴とする耐震構法。
【請求項２】
前記下側水平梁をその上面が床面よりも上側となるように設けることを特徴とする請求項１に記載の耐震構法。
【請求項３】
前記上側水平梁として天井よりも上側に配設されたものを用いることを特徴とする請求項１または２に記載の耐震構法。
【請求項４】
前記補強壁を前記天井よりも下側部分に固定することを特徴とする請求項１乃至３のいずれかに記載の耐震構法。
【請求項５】
両側の柱の間の下側水平梁の上に前記柱と平行に複数の角材を設けるとともに、１又は２以上の角材からなる中央部以外の角材を順次柱側のものに対して取り付け、一方前記中央部の角材を、前記中央部を挟む両側の角材に設けられた通しボルトを介し前記両側の角材により挟持することで、前記補強壁の嵌め込みと固定とを行うことを特徴とする請求項１乃至４のいずれかに記載の耐震構法。
【請求項６】
前記補強壁に、角材を連結部材により連結して矩形状に形成されたもの、或いは矩形状の合板、或いは矩形状に連結した集成材を用い、その補強壁を前記矩形枠の内部に嵌め込み、前記矩形枠に対して固定することを特徴とする請求項１乃至４のいずれかに記載の耐震構法。
【請求項７】
前記下側水平梁の上面に凹状または凸状の係合部を形成するとともに前記補強壁の下面に前記係合部に係合する凸状または凹状の被係合部を形成し、前記係合部を前記被係合部に係合させて前記補強壁を前記下側水平梁の上に載せた状態で嵌め込むことを特徴とする請求項１乃至６のいずれかに記載の耐震構法。
【請求項８】
前記補強壁に、前記矩形枠に入る矩形状の枠体の片面側に矩形状の板材が取り付けられたものを用い、その補強壁を前記矩形枠の内側に嵌め込み、前記矩形枠に対して固定することを特徴とする請求項１乃至４のいずれかに記載の耐震構法。
【請求項９】
前記矩形枠に固定した、前記枠体の片面側に前記板材が取り付けられた補強壁のもう片面側に別の板材を取り付けることを特徴とする請求項８に記載の耐震構法。
【請求項１０】
前記矩形枠の軸心方向の両側であって片方が屋外、もう片方が屋内に壁部材が設けられている場合、屋内側の壁部材を外すことにより前記矩形枠を得ることを特徴とする請求項１乃至９のいずれかに記載の耐震構法。
【請求項１１】
前記２つの柱、前記下側水平梁および前記上側水平梁のうちの少なくとも１つを別途設けて前記矩形枠を得ることを特徴とする請求項１乃至１０のいずれかに記載の耐震構法。
【請求項１２】
軸組構法により既に完成した家屋の耐震性を向上させるために壁を補強する耐震構造体であって、
立設した隣り合う２つの柱と下側水平梁と上側水平梁とで構成され、内側が空スペースとなった矩形枠と、
前記矩形枠の内部に、前記下側水平梁の上に載せるとともに前記２つの柱で挟まれた状態に嵌め込まれた矩形状の補強壁と、
前記補強壁を前記矩形枠に固定する固定手段とを具備することを特徴とする耐震構造体。
【請求項１３】
請求項１２に記載の耐震構造体が組み込まれた耐震家屋。
【発明の詳細な説明】
【技術分野】
【０００１】
本発明は、例えば軸組構法により既に完成した家屋の耐震性を向上させるために壁を補強する耐震構法に関する。また、そのような耐震構法により得られる耐震構造体および耐震家屋に関する。
【背景技術】
【０００２】
従来から耐震性を考慮して、図１５に示すように柱１００と柱１００との間に筋交い１０１や間柱１０２が設けられたり、或いは水平な梁１０３とその下側に平行に設けられる横架材１０４との間に間柱１０５が設けられたりしている。
【０００３】
ところで、近年においては、より耐震性能に優れる家屋が提案されている（例えば、特許文献１等参照）。この提案は、家屋と基礎部分とを非固定状態にして基礎部分により家屋をスライド可能に支持する構法であり、新規に家を建築する際にそのような構造を容易に組み込むことができる。
【特許文献１】特開平０８−２１８６７７号
【発明の開示】
【発明が解決しようとする課題】
【０００４】
しかしながら、上記提案による場合には、家屋と下側の基礎部分との間に対して処理を行う必要があるため、耐震構造を既設の家屋に対して組み込むことは不可能ではないものの、容易なことではない。
【０００５】
本発明は、このような従来技術の課題を解決するためになされたものであり、既設の家屋に対して比較的容易に耐震構造を組み込むことができる耐震構法、耐震構造体および耐震家屋を提供することを目的とする。
【課題を解決するための手段】
【０００６】
本発明の耐震構法は、軸組構法により既に完成した家屋の耐震性を向上させるために壁を補強する耐震構法であって、立設した隣り合う２つの柱と下側水平梁と上側水平梁とで構成され、内側が空スペースとなった矩形枠を得る工程と、前記矩形枠の内部に、前記下側水平梁の上に載せるとともに前記２つの柱で挟まれた状態に矩形状の補強壁を嵌め込むとともに、前記補強壁を前記矩形枠に固定する工程とを含むことを特徴とする。
【０００７】
請求項２に係る発明は、前記下側水平梁をその上面が床面よりも上側となるように設けることを特徴とする。
【０００８】
請求項３に係る発明は、前記上側水平梁として天井よりも上側に配設されたものを用いることを特徴とする。
【０００９】
請求項４に係る発明は、前記補強壁を前記天井よりも下側部分に固定することを特徴とする。
【００１０】
請求項５に係る発明は、両側の柱の間の下側水平梁の上に前記柱と平行に複数の角材を設けるとともに、１又は２以上の角材からなる中央部以外の角材を順次柱側のものに対して取り付け、一方前記中央部の角材を、前記中央部を挟む両側の角材に設けられた通しボルトを介し前記両側の角材により挟持することで、前記補強壁の嵌め込みと固定とを行うことを特徴とする。
【００１１】
請求項６に係る発明は、前記補強壁に、角材を連結部材により連結して矩形状に形成されたもの、或いは矩形状の合板、或いは矩形状に連結した集成材を用い、その補強壁を前記矩形枠の内部に嵌め込み、前記矩形枠に対して固定することを特徴とする。
【００１２】
請求項７に係る発明は、前記下側水平梁の上面に凹状または凸状の係合部を形成するとともに前記補強壁の下面に前記係合部に係合する凸状または凹状の被係合部を形成し、前記係合部を前記被係合部に係合させて前記補強壁を前記下側水平梁の上に載せた状態で嵌め込むことを特徴とする。
【００１３】
請求項８に係る発明は、前記補強壁に、前記矩形枠に入る矩形状の枠体の片面側に矩形状の板材が取り付けられたものを用い、その補強壁を前記矩形枠の内側に嵌め込み、前記矩形枠に対して固定することを特徴とする。
【００１４】
請求項９に係る発明は、前記矩形枠に固定した、前記枠体の片面側に前記板材が取り付けられた補強壁のもう片面側に別の板材を取り付けることを特徴とする。
【００１５】
請求項１０に係る発明は、前記矩形枠の軸心方向の両側であって片方が屋外、もう片方が屋内に壁部材が設けられている場合、屋内側の壁部材を外すことにより前記矩形枠を得ることを特徴とする。
【００１６】
請求項１１に係る発明は、前記２つの柱、前記下側水平梁および前記上側水平梁のうちの少なくとも１つを別途設けて前記矩形枠を得ることを特徴とする。
【００１７】
本発明の耐震構造体は、軸組構法により既に完成した家屋の耐震性を向上させるために壁を補強する耐震構造体であって、立設した隣り合う２つの柱と下側水平梁と上側水平梁とで構成され、内側が空スペースとなった矩形枠と、前記矩形枠の内部に、前記下側水平梁の上に載せるとともに前記２つの柱で挟まれた状態に嵌め込まれた矩形状の補強壁と、前記補強壁を前記矩形枠に固定する固定手段とを具備することを特徴とする。
【００１８】
本発明の耐震家屋は、請求項１２に記載の耐震構造体が組み込まれたものである。
【発明の効果】
【００１９】
本発明の耐震構法による場合には、立設した隣り合う２つの柱と上側水平梁と下側水平梁とで構成される矩形枠を得、その矩形枠の内側に補強壁を、下側水平梁の上に載せるとともに２つの柱で挟まれた状態に嵌め込んで固定するので、矩形枠の少なくとも３辺を矩形状の補強壁の３辺が支持する状態となって矩形枠の変形を抑制する耐震構造にすることができる。よって、既設の家屋に対しても、比較的容易に耐震構造を組み込むことができる。
【００２０】
請求項２の発明による場合には、下側水平梁をその上面が床面よりも上側となるように設けるので、壁部材を外して下側水平梁を取り付けるときに、床面が残っていても、その床面にあまり邪魔されることなく、下側水平梁の取り付けを容易に行うことがきる。
【００２１】
請求項３の発明による場合には、上側水平梁として天井よりも上側に配設されたものを用いると、一般に二階又は三階の床面を支持するための水平梁を利用することができる。よって、上側水平梁を別途取り付ける必要がない。
【００２２】
請求項４の発明による場合には、矩形枠の上部（上側水平梁）が天井よりも上側に位置していても、天井よりも下側に補強壁を取り付けることで、取り付け作業性を向上させ得る。但し、取り付け作業性を考慮せず、耐震性をより向上させる場合には、矩形枠とほぼ同じ大きさの補強壁を、補強壁の上部が天井よりも高くなる状態で取り付けるようにしてもよい。
【００２３】
請求項５の発明による場合には、２本の柱の間に複数の角材を順に取り付けていくことによって、矩形枠の内側に矩形枠の変形を抑制する補強壁を組み込むことができるので、経年変化により歪みが発生した柱間にも容易に取り付けることが可能になる。
【００２４】
請求項６の発明による場合には、矩形枠の内部に嵌め込む前に、矩形枠に嵌め込まれ得る大きさで１枚の補強壁が形成されているので、その１枚の補強壁を矩形枠の内部に嵌め込み、固定するだけでよく、簡単に耐震構造を既設の家屋に対して組み込むことができる。
【００２５】
請求項７の発明による場合には、係合部を被係合部に係合させるので、下側水平梁の上に載せた補強壁が地震等による振動を受けても外れ難くなる。
【００２６】
請求項８の発明による場合には、枠体の片面側に板材が取り付けられているので、枠体の内面側からコーチボルトや釘などの締結部材の打ち込み等を容易に行い得る。また、枠体と板材が矩形枠の内側に設けられているので、板材のみ或いは枠体のみを用いる場合よりも、より強い補強が可能となる。よって、この構成による場合には、例えばまぐさ部の上側部分であって、面積が比較的小さい壁部の補強に適する。
【００２７】
請求項９の発明による場合には、枠体と２枚の板材が矩形枠の内側に設けられているので、更に強い補強が可能となる。
【００２８】
請求項１０の発明による場合には、屋内側の壁部材を外すことにより矩形枠を得るので、雨風を凌ぐ必要のある屋外側の壁部材を外す場合よりもコスト的に安価にすることができる。
【００２９】
請求項１１の発明による場合には、既設の家屋において補強したい箇所に２本の柱が無いとき、１本の柱から適長離隔してもう１本の柱を別途設けることで、補強壁を固定する矩形枠を作り出すことができる。
【００３０】
本発明の耐震構造体による場合には、立設した隣り合う２つの柱と上側水平梁と下側水平梁とで構成される矩形枠を得、その矩形枠の内側に補強壁を、下側水平梁の上に載せるとともに２つの柱で挟まれた状態に嵌め込んで固定するので、矩形枠の少なくとも３辺を矩形状の補強壁の３辺が支持する状態となって矩形枠が変形し難い耐震構造にすることができる。よって、既設の家屋に対しても、比較的容易に耐震構造を組み込むことができる。
【００３１】
本発明の耐震家屋による場合には、上述した耐震構造体と同様の効果が得られる。
【発明を実施するための最良の形態】
【００３２】
以下に、本発明の実施形態を具体的に説明する。
【００３３】
図１は本発明の一実施形態に係る耐震構造体を示す正面図であり、図２はその耐震構造体を組み込む前の状態の家屋を示す斜視図であり、図３〜図９はその家屋の壁（図２のＡ部）に耐震構造体を設ける際の工程の説明図である。
【００３４】
この耐震構造体１は、部屋２の四隅における直交する２つの壁部３、３に設けられており、部屋２の四隅に配設された柱４と、その柱４の隣（図３では右隣）の柱５と、これら柱４、５に両端が連結された下側水平梁６と、柱４、４に両端が連結された上側水平梁７とで構成される矩形枠１０の内側に設けられている。下側水平梁６は、例えば一般にコンクリートにより作製された基礎８の上に水平に配された土台９の上に根太１０を介して取り付けられた床面１１よりも下側水平梁６の上面を上側にして、水平に設けられている。上側水平梁７は、その全体を天井１２よりも上側にして水平に配されている。なお、下側水平梁６はその上面を床面１１よりも下側に配してもよく、また上側水平梁７はその下面を天井１２よりも下側に配してもよい。
【００３５】
矩形枠１０の内側の空スペースＣに、その矩形枠１０よりも高さ寸法が短い矩形状の補強壁２０が嵌め込まれかつ固定されることにより、本実施形態に係る耐震構造体１が構成されている。なお、上記耐震構造体１が設けられた壁部３は屋内と屋外とに面していて、矩形枠１０は屋内側の壁部材を、或いは土壁の場合にはその土壁自体を取り外すことにより得られていて、その矩形枠１０に対して屋内側から補強壁２０を嵌め込みかつ固定している。なお、補強壁２０は、矩形枠１０の天井１２よりも低い箇所に設けると取り付け性に優れるが、補強壁２０の上部が天井１２よりも高くなるように取り付けてもよい。また、図２においては屋外の壁部材を省略して表している。
【００３６】
上記補強壁２０は、図３に示すように、柱４、５の間に柱４，５と平行に設けられた複数本、図示例では９本の角材１３と、固定手段としての多数のコーチボルト１４と、３本の挟持用の通しボルト１５とを有して構成されていて、両端の角材１３はそれぞれ柱４、５に固定されている。この補強壁２０の嵌め込み及び固定の仕方につき、図３〜図９に基づき説明する。ここで、９本の角材１３に関して位置を特定する場合に、図３に示す左側の柱４側から順に、第１角材１３−１、第２角材１３−２、第３角材１３−３、第４角材１３−４、第５角材１３−５、第６角材１３−６、第７角材１３−７、第８角材１３−８、第９角材１３−９と言う。そして、３つの第４角材１３−４、第５角材１３−５及び第６角材１３−６は、通しボルト１５により挟持される中央部の角材を構成する。
【００３７】
まず、下側水平梁６、上側水平梁７、９本の角材１３、コーチボルト１４及び通しボルト１５を用意する。
【００３８】
そして、図４に示すように、下側水平梁６の上面となる面に、凹状の係合部６ａを形成する。また、各角材１３の下端になる面に、前記係合部６ａに係合する凸状の被係合部１３ａを形成するとともに、補強壁２０の中央部に配される３本の第４角材１３−４、第５角材１３−５、第６角材１３−６の一面に、通しボルト１５を回避するための凹溝１３ｂを各３個ずつ形成する（図４には凹溝１３ｂを１つ表している）。更に、全ての角材１３における前記凹溝１３ｂに対応する面に、上枠２１を取り付けるための段部１３ｅを形成する。そして、図５に示すように、左から３番目と右から３番目に配する第３角材１３−３、第７角材１３−７に、凹部１３ｃとボルト挿通孔１３ｄを形成し、これら左右３番目の両角材１３−３、１３−７に対し、通しボルト１５を取り付ける。なお、凹部１３ｃの内部には、通しボルト１５の六角形状の頭部１５ａと、ナット１５ｂとが配されている。
【００３９】
かる準備が完了すると、図６に示すように、床面１１よりも上側に下側水平梁６を設ける。この下側水平梁６は、長手方向両端が柱４、５に固定される。
【００４０】
まず、左から１番目と右から１番目の第１角材１３−１、第９角材１３−９を上下方向に立てて、下側水平梁６の上に載せて柱４、５にコーチボルト１４により固定する。このとき、第１角材１３−１、第９角材１３−９と下側水平梁６は、係合部６ａを被係合部１３ａに係合させておく。
【００４１】
次に、図７に示すように、左から２番目と右から２番目の第２角材１３−２、第８角材１３−８を上下方向に立てて、下側水平梁６の上に載せて第１角材１３−１、第９角材１３−９にコーチボルト１４により固定する。このとき、第２角材１３−２、第８角材１３−８と下側水平梁６は、係合部６ａを被係合部１３ａに係合させておく。
【００４２】
次に、図８に示すように、通しボルト１５が取り付けられた左から３番目と右から３番目の第３角材１３−３、第７角材１３−７を上下方向に立てて、下側水平梁６の上に載せて第２角材１３−２、第８角材１３−８にコーチボルト１４により固定する。このとき、第３角材１３−３、第７角材１３−７と下側水平梁６は、係合部６ａを被係合部１３ａに係合させておく。
【００４３】
次に、図９に示すように、左から４番目と右から４番目の第４角材１３−４、第６角材１３−６を上下方向に立てて、下側水平梁６の上に載せて第３角材１３−３、第７角材１３−７にコーチボルト１４により固定する。このとき、第４角材１３−４、第６角材１３−６における凹溝１３ｂの内側に通しボルト１５を位置させ、また、第４角材１３−４、第６角材１３−６と下側水平梁６は、係合部６ａを被係合部１３ａに係合させておく。
【００４４】
続いて、図３に示すように、第４角材１３−４、第６角材１３−６の間の間隔を測定し、中央位置の左から５番目の第５角材１３−５の幅寸法が前記測定間隔にほぼ一致するように調整する。そして、調整後の第５角材１３−５を、第４角材１３−４、第６角材１３−６の間に上下方向に立てて入れる。このとき、第５角材１３−５における凹溝１３ｂの内側に通しボルト１５を位置させ、また、第５角材１３−５と下側水平梁６は、係合部６ａを被係合部１３ａに係合させておく。
【００４５】
次に、通しボルト１５を締め付けて、第３角材１３−３、第７角材１３−７を互いに接近させ、これら第３角材１３−３、第７角材１３−７により第５角材１３−５を両側から挟持する。なお、通しボルト１５の頭部１５ａを第３角材１３−３に、ナット１５ｂを第７角材１３−７に設けるようにしているが、これに限らず他の２つの角材に設けるようにしてもよい。例えば、頭部１５ａを第２角材１３−２に、ナット１５ｂを第８角材１３−８に設けたり、或いは、頭部１５ａを第２角材１３−２に、ナット１５ｂを第７角材１３−７に設けたり、或いは、頭部１５ａを第３角材１３−３に、ナット１５ｂを第８角材１３−８に設けたりする等してもよい。
【００４６】
最後に、全角材１３の上端に設けた段部１３ｅに、上枠２１を取り付ける（図４参照）とともに、上枠２１の両端を柱４、５に連結する。
【００４７】
以上のようにして、矩形枠１０の内側に補強壁２０が嵌め込まれかつ固定される。
【００４８】
したがって、本実施形態による場合には、立設した隣り合う２つの柱４、５と上側水平梁８と下側水平梁７とで構成される矩形枠１０を得、その矩形枠１０の内側に補強壁２０を、下側水平梁７の上に載せるとともに２つの柱４、５で挟まれた状態に嵌め込んで固定するので、矩形枠１０の少なくとも３辺（下辺と両側辺）を矩形状の補強壁２０の３辺（下辺と両側辺）が支持する状態となって矩形枠１０の変形を抑制する耐震構造にすることができる。よって、既設の家屋に対しても、比較的容易に耐震構造を組み込むことができる。また、本実施形態にあっては、２本の柱４、５の間に複数の角材１３を順に取り付けていくことによって、矩形枠１０の内側に矩形枠１０の変形を抑制する補強壁２０を組み込むことができるので、経年変化により歪みが発生した柱間にも容易に対応することができる。つまり、角材１３の一部、例えば９本よりも少ない１本（２本以上でも良い）の角材の幅寸法を調整することで対応することができ、後述する１枚の合板や集成材を連結したもののように非常に大きい補強壁を用いる場合よりも、取扱を容易にできるからである。更に、係合部６ａと被係合部１３ａとを係合させる構成としているので、下側水平梁６の上に載せた補強壁２０が地震等による振動を受けても外れ難くなる。
【００４９】
なお、上述した実施形態では２本の柱４、５の間に複数の角材１３を順に取り付けていくことによって、矩形枠１０の内側に矩形枠１０の変形を抑制する補強壁２０を組み込むようにしているが、本発明はこれに限らない。例えば、図１０に示すように前記９つの角材１３を連結し、両端の角材１３−１、１３−９を柱４、５に固定しない補強壁２０を矩形枠１０の内側に嵌め込み、その後で柱４、５にコーチボルト等により固定したり、または図１１に示すように所定寸法に予め切断した１枚の合板からなる補強壁２０Ａを矩形枠１０の内側に嵌め込み、その後で柱４、５にコーチボルト等により固定したりしてもよい。或いは、１枚の集成材を所定寸法に予め切断したものを、補強壁として用いてもよい。図１０に示す上記補強壁２０の角材１３の本数は、９本に限らず、任意の本数としてもよい。
【００５０】
また、上述した実施形態では、壁部３が屋外と屋内とに面していて、屋内側の壁部材を外すことで矩形枠１０を得ているが、本発明はこれに限らない。例えば、壁部３が共に屋内に面している場合は、どちら側の壁部材を外してもよい。また、壁部３が土壁のように、両側に壁部材が設けられていない構成の場合には、矩形枠１０の内側の土壁を除去し、補強壁２０を嵌め込んで固定する。
【００５１】
更に、壁部３の壁部材を外しても前記矩形枠１０が表れないときは、矩形枠１０を構成する上で不足している部材、つまり柱４、柱５、下側水平梁６及び上側水平梁７のうちの該当するものを増設して矩形枠１０を形成する。そして、その矩形枠１０の内側に、前同様にして補強壁２０、２０Ａを嵌め込んで固定する。
【００５２】
図１２は、本発明の他の実施形態に係る耐震構造体を示す正面図であり、図１３はその家屋の一部に耐震構造体を設ける際の工程を示す斜視図である。なお、図２のＢ部に、その耐震構造体を組み込む前の状態の家屋を示す。
【００５３】
この耐震構造体１Ａは、上下に平行に配設された上側の梁３０と下側の横架材３１とで、柱５、５の間において矩形枠３３を構成する２つの水平梁が構成されていて、その矩形枠３３の内側に補強壁３４が嵌め込まれて固定されている。
【００５４】
矩形枠３３は、梁３０と横架材３１と柱５、５とで構成される枠であり、前記補強壁３４は図１２に示すように矩形板材、例えば横に長い長方形の板材３４ａの４辺に、補強用枠材３４ｂ、３４ｃ、３４ｄ、３４ｅを取り付けたものである。これら枠材３４ｂ、３４ｃ、３４ｄ及び３４ｅは、枠体を構成する。板材３４ａの上下辺には長い補強用枠材３４ｂ、３４ｄが、板材３４ａの左右辺には短い補強用枠材３４ｃ、３４ｅがそれぞれ取り付けられている。なお、この図示例では、下辺３４ｄの下面と横架材３１の上面とには、前記係合部６ａ、被係合部１３ａに相当するものを省略しているが、これらを形成するようにしてもよいことは勿論である。
【００５５】
そして、上記補強壁３４を矩形枠３３の内側の空スペースＣに、横架材３１に載せた状態でコーチボルト等により固定した後に、補強用枠材３４ｂ、３４ｃ、３４ｄ、３４ｅに対して別の板材３４ｆをコーチボルト等により取り付けることで（図１３参照）、本実施形態の耐震構造体１Ａが完成する。上記別の板材３４ｆは、矩形枠３３の軸心方向において前記板材３４ａとは補強用枠材３４ｂ〜３４ｅを挟んで反対側に設けられる。
【００５６】
この実施形態の耐震構造体１Ａは、図１２に示したように矩形枠３３が、窓や、障子或いは襖などが取り付けられるまぐさ部３５の上側の少し小さい壁部３６に配設されていて、その壁部３６を耐震補強している。
【００５７】
この実施形態による場合にも、前同様に、矩形枠３３の少なくとも３辺（下辺と両側辺）を矩形状の補強壁３４の３辺（下辺と両側辺）が支持する状態となって矩形枠３３の変形を抑制する耐震構造にすることができる。よって、既設の家屋に対しても、比較的容易に耐震構造を組み込むことができる。また、本実施形態にあっては、枠体３４ｂ〜３４ｅと板材３４ａが矩形枠３３の内側に設けられているので、板材３４ａのみ或いは枠体３４ｂ〜３４ｅのみを用いる場合よりも、より強い補強が可能となり、まぐさ部３５の上側部分であって面積が比較的小さい壁部３６の補強に適する。更に、枠体３４ｂ〜３４ｅと２枚の板材３４ａ、３４ｆが矩形枠３３の内側に設けられているので、更に強い補強が可能となる。
【００５８】
但し、耐震構造体１Ａは、図１４に示すように前記まぐさ部３５の上側の壁部３６にだけ矩形枠３３を設けるのではなく、その壁部３６の両隣にも矩形枠３７、３８を形成し、これら矩形枠３７、３８に補強壁３９、４０を嵌め込んで固定するようにしてもよい。また、まぐさ部３５の下側の壁部に矩形枠４１を形成し、その矩形枠４１に補強壁４２を嵌め込んで固定するようにしてもよい。図１４中の６−Ａは柱５、５に両端が連結された下側水平梁で、同じく４３は柱５、５に両端が連結された上側水平梁である。
【００５９】
なお、耐震構造体１Ａにおいても、補強壁３４、３９、４０、４２に代えて、１枚の板材（合板や集成材を連結したもの）からなる補強壁を用いてもよい。
【００６０】
また、上述した実施形態では明言していないが、基礎の上に土台が配設される１階部分だけでなく、２階部分や３階部分にも同様に耐震構造体１や耐震構造体１Ａを適用することができる。
【００６１】
更に、上述した実施形態ではコーチボルトを用いた締結により固定する例を挙げているが、本発明はこれに限らず、ネジや釘などの締結部材を固定手段として用いてもよい。
【図面の簡単な説明】
【００６２】
【図１】本発明の一実施形態に係る耐震構造体を示す正面図である。
【図２】図１の耐震構造体を組み込む前の状態の家屋を示す斜視図である。
【図３】家屋の一部（図２のＡ部）に設けた耐震構造体を示す正面図である。
【図４】図３の耐震構造体の製造する工程の説明図である。
【図５】図３の耐震構造体の製造する工程の説明図である。
【図６】図３の耐震構造体の製造する工程の説明図である。
【図７】図３の耐震構造体の製造する工程の説明図である。
【図８】図３の耐震構造体の製造する工程の説明図である。
【図９】図３の耐震構造体の製造する工程の説明図である。
【図１０】補強壁の他の構成例を示す図である。
【図１１】補強壁の更に他の構成例を示す図である。
【図１２】本発明の他の実施形態に係る耐震構造体を示す正面図である。
【図１３】家屋の一部（図２のＢ部）に耐震構造体を設ける際の工程を示す斜視図である。
【図１４】本発明の更に他の実施形態に係る耐震構造体を示す正面図である。
【図１５】従来の耐震構造体を示す正面図である。
【符号の説明】
【００６３】
１、１Ａ    耐震構造体
３    壁部
４、５    柱
６、６−Ａ    下側水平梁
７、４３    上側水平梁
１０、３３、３７、３８、４１    矩形枠
１３    角材
１４    コーチボルト（固定手段）
２０、３４、３９、４０、４２    補強壁
３０    梁（水平梁）
３１    横架材（水平梁）
Ｃ    空スペース
【図１】
2010121398.tif 000003
【図２】
2010121398.tif 000004
【図３】
2010121398.tif 000005
【図４】
2010121398.tif 000006
【図５】
2010121398.tif 000007
【図６】
2010121398.tif 000008
【図７】
2010121398.tif 000009
【図８】
2010121398.tif 000010
【図９】
2010121398.tif 000011
【図１０】
2010121398.tif 000012
【図１１】
2010121398.tif 000013
【図１２】
2010121398.tif 000014
【図１３】
2010121398.tif 000015
【図１４】
2010121398.tif 000016
【図１５】
2010121398.tif 000017